(57)【特許請求の範囲】
【請求項１】
筐体の開口の前面側を開閉する扉Ｄを筐体の側板Ｂに蝶着するための蝶番であって、
前記側板Ｂに固定される固定板２と、この固定板２に相対回転自在に連結され前記扉Ｄに固定される回転板３と、これら固定板２と回転板３とが直角に配置される位置において前記扉Ｄを閉鎖位置に保持するためのキャッチ機構５とを具備し、
前記固定板２は、金属製の概略矩形平板で形成され、前方に開口する矩形の切込み２ａで上下２つに分かれて形成された連結部２ｂと、各連結部２ｂの前端部に形成された上下方向の軸受け筒部２ｃとを具備し、
前記回転板３は金属製の概略矩形の平板で形成され、基端側に直角に屈曲した、固定板２の切込み２ａ内に納まる形状の枢着片３ｂと、当該枢着片３ｂの端縁に形成され前記固定板２の上下２つの軸受け筒部２ｃ間に納まり枢軸４が挿通される上下方向の軸受け筒部３ａとを具備し、
前記キャッチ機構５は、前記固定板５に取り付けられる第１の係合部材９と、前記回転板３に取り付けられる第２の係合部材１０とを具備し、
前記第１の係合部材９は、金属製で、固定板２に固定されるベース部１１とベース部１１から立ち上がり、湾曲して先端部が前方に向き、それ自体弾性変形しないアーム部１２とを具備し、
前記第２の係合部材１０は、前記第１の係合部材９のアーム部１２と対向するように前記回転板３に固定されるブラケット１３と、当該ブラケット１３に軸支される係合ローラ１４を具備し、
前記アーム部１２は、先端部に、当接面１２ａと、この当接面１２ａとの間で山形頂部１２ｂを形成する保持面１２ｃとを具備し、
前記係合ローラ１４は、扉Ｄの閉鎖動時に、閉鎖位置の直前で前記アーム部１２の当接面１２ａに圧接後、相対的に弾性的に変位して前記山形頂部１２ｂを乗り越え、前記保持面１２ｃ上に保持されるように相対位置が設定されることを特徴とする蝶番。
【発明の詳細な説明】
【技術分野】
【０００１】
本発明は、家具等の筐体に取り付けられる扉を開閉自在に支持し、閉鎖位置で保持する蝶番に関する。
【背景技術】
【０００２】
従来、家具に取り付けられる扉を開閉自在に支持し、閉鎖位置で保持する蝶番として、特許文献１に記載されたものが知られている。この蝶番は、筺体へ取り付けられる固定翼片と、扉板を支持する回動翼片とを有する。回動翼片は、固定翼片の軸挿筒に挿入される枢軸により固定翼片に枢支される。回動翼片の扉板取り付け面側に扉取り付け杆が突設され、この扉取り付け杆に扉押さえネジが螺合される。扉押さえネジは膨頭部を有する。固定板側には、扉押えねじの膨頭部を係脱自在に圧嵌する二又に割れた止め部を備えたキャッチ部材が設けられる。
【先行技術文献】
【特許文献】
【０００３】
【特許文献１】実公平１−２５１７９号公報
【発明の概要】
【発明が解決しようとする課題】
【０００４】
上記従来の家具用蝶番は、合成樹脂製のキャッチ部材の二又に分かれた止め部が、扉押えネジの膨頭部との係脱の繰り返しにより、摩耗、塑性変形して保持力が短期間で弱体化するという問題がある。
本発明は、上記従来の蝶番とは異なった構造で、キャッチ機構の係脱操作の繰り返しによっても容易に保持力が弱まらない堅牢な家具用蝶番を提供することを目的としている。
【課題を解決するための手段】
【０００５】
上記課題を解決するために、本発明の蝶番１は、筺体に固定される固定板２と、この固定板２に相対回転自在に連結され扉Ｄに固定される回転板３と、これら固定板２と回転板３とが直角に配置される係合位置において扉Ｄを閉鎖位置に保持するキャッチ機構５とを具備する。キャッチ機構５は、固定板２に取り付けられる第１の係合部材９と、回転板３に取り付けられる第２の係合部材１０とを具備する。第１、第２の係合部材９，１０は、扉Ｄの閉鎖動時に閉鎖位置の直前で互いに圧接した後、弾性的に係合するように構成される。第１の係合部材９は、固定板２から立ち上がり、湾曲して先端部が前方に向くアーム部１２を備える。第２の係合部材１０は、回転板３から立ち上がるブラケット１３に軸支される係合ローラ１４を具備する。アーム部１２は、先端部に、当接面１２ａと、この当接面１２ａとの間で山形頂部１２ｂを形成する保持面１２ｃとを具備する。係合ローラ１４は、扉Ｄの閉鎖動時に、当接面１２に圧接後、相対的に弾性的に変位して山形頂部１２ｂを乗り越え、保持面１２ｃ上に保持されるように相対位置が設定される。
【発明の効果】
【０００６】
本発明においては、アーム部１２と係合ローラ１４とを有する機械的に比較的堅牢なキャッチ機構５を採用することにより、係脱操作の繰り返しによっても容易に保持力が弱まらない堅牢な蝶番を提供することができる。
【図面の簡単な説明】
【０００７】
【図１】本発明に係る蝶番の斜視図である。
【図２】図１の蝶番の正面図である。
【図３】図１の蝶番の側面図である。
【図４】図１の蝶番の平面図である。
【図５】図２のＶ−Ｖ線断面図である。
【図６】扉が閉鎖直前位置にある状態の蝶番の断面図である。
【図７】開放状態の蝶番の斜視図である。
【発明を実施するための形態】
【０００８】
本発明に係る家具用蝶番の実施の一形態を図面に基づいて説明する。
図５に示すように蝶番１は、筺体の開口の前面側を扉Ｄで開閉するために、側板Ｂの前端部に、扉Ｄを水平回転自在に吊り止めるものである。したがって、蝶番１における「上下」、「前後」は、筺体への取り付け状態における筐体の「上下」、「前後」と同義である。本実施形態において扉Ｄは、透明または半透明のガラス板や、アクリル板等の合成樹脂板が用いられる。
図１ないし図７において、蝶番１は、筺体の側板Ｂの内側面に固定される固定板２と、扉Ｄに固定される回転板３とを具備する。回転板３は、固定板２の軸受け筒部３ａに上下方向の枢軸４で枢支される。固定板２と回転板３との間には、キャッチ機構５が設けられる。キャッチ機構５は、固定板２と回転板３とが、互いに直角に配置された状態に両者を係合させ、筺体の側板Ｂに対する扉Ｄの閉鎖状態を保持する。
【０００９】
固定板２は、金属製の概略矩形平板で形成され、側板Ｂの内側面にねじ止めして固着される。固定板２は、前方に開口する矩形の切込み２ａによって、上下２つに分かれて形成された連結部２ｂを具備する。各連結部２ｂの前端部に上下方向の軸受け筒部２ｃを具備する。固定板２は、本体の側板Ｂへねじ止めするための取付孔２ｄを複数備えている。
【００１０】
回転板３は金属製で、概略矩形の平板で形成される。回転板３は、これを貫通するねじ６によって、フランジナット７との間でスペーサ８を介して扉Ｄを締め付けるように扉Ｄに固定される。回転板３は、基端側に直角に屈曲した枢着片３ｂを有する。枢着片３ｂは、固定板２の切込み２ａ内に入る大きさで、その端縁に上下方向の軸受け筒部３ａを具備する。軸受け筒部３ａは、固定板２の軸受け筒部２ｃに連通し、これに枢軸４が挿通される。
【００１１】
キャッチ機構５は、固定板２に固定される第１の係合部材９と、回転板３に固定される第２の係合部材１０とを具備する。
【００１２】
第１の係合部材９は金属製で、固定板２に固定されるベース部１１とベース部１１から起立するアーム部１２とを具備する。ベース部１１は、固定板２の取付孔２ｄの一つに連通する取付孔１１ａを有する。アーム部１２は、ベース部１１から筺体の内方に向かって立ち上がり先端が前方へ向くように湾曲して延出する。アーム部１２の先端部には、当接面１２ａと、この当接面１２ａとの間で山形頂部１２ｂを形成する保持面１２ｃとを具備する。
【００１３】
第２の係合部材１０は、回転板３上に固定されるブラケット１３と、このブラケット１３に上下方向の軸ピン１５で支持される係合ローラ１４とを具備する。係合ローラ１４は、図６に示す扉Ｄの閉鎖動途上において閉鎖位置の直前でアーム部１２の当接面１２ａに当接する。扉Ｄのさらなる閉鎖動により、アーム部１２またはローラ１４が相対的に弾性的に撓んで、ローラ１４がアーム部１２の山形頂部１２ｂを越え、図５に示す扉Ｄの閉鎖位置において、係合ローラ１４が保持面１２ｃ上に保持される。
【００１４】
この蝶番１においては、開放位置にある扉Ｄを閉鎖するとき、扉Ｄと共に回転板３が枢軸４を中心に固定板２に対して回転し、扉Ｄの閉鎖位置においてキャッチ機構５のアーム部１２と係合ローラ１４とが係合して扉Ｄの閉鎖状態を保持する。このとき、扉Ｄが閉鎖位置に向かう途上で、係合ローラ１４の側面が、アーム部１２の先端部の当接面１２ａに圧接される。さらに扉Ｄが閉鎖位置回動すると、固定板２や回転板３の弾性的撓みにより、アーム部１２またはローラ１４が相対的に弾性的に変位し、ローラ１４がアーム部１２の山形頂部１２ｂを越え、図５に示す扉Ｄの閉鎖位置において、ローラ１４が保持面１２ｃ上に保持される。
【符号の説明】
【００１５】
１    蝶番
２    固定板
２ｃ  軸受け筒
３    回転板
３ａ  軸受け筒
３ｂ  枢着片
４    枢軸
５    キャッチ機構
６    ねじ
７    フランジナット
９    第１の係合部材
１０    第２の係合部材
１１    ベース部
１１ａ  取り付け孔
１２    アーム部
１２ａ  当接面
１２ｂ  山形頂部
１２ｃ  保持面
１３    ブラケット
１４    係合ローラ
１５    軸ピン
Ｂ    筐体の側板
Ｄ    扉
【図１】
0005976725.tif 000002
【図２】
0005976725.tif 000003
【図３】
0005976725.tif 000004
【図４】
0005976725.tif 000005
【図５】
0005976725.tif 000006
【図６】
0005976725.tif 000007
【図７】
0005976725.tif 000008